(57)【要約】【解決手段】中継器を介しての送信ではない遠隔通信から、中継器を介して送信された遠隔通信を識別するための装置及び方法。本方法は、遠隔局１１２から信号送信１２４Ａを受信し、信号送信１２４Ａが遠隔局１１２から送信された信号に加えられる判別技術を含むかどうかを決定し、及び信号送信１２４Ａが判別技術を含むならば、中継器１２０を介して送信されているとして信号送信１２４Ａを指定するステップを具備する。【選択図】図２
2005507205.tif 000002
【特許請求の範囲】
【請求項１】
中継器を介して送信された遠隔通信を識別する方法、該方法は下記ステップを具備する：
遠隔局からの信号送信を受信する；
信号送信が遠隔局から送信された信号に加えられる判別技術を含むかどうかを決定する；及び
信号送信が判別技術を含むならば、信号送信を中継器を介して送信されていると指定する。
【請求項２】
判別技術は符号である、請求項１記載の方法。
【請求項３】
判別技術は遠隔局からの信号送信に加えられた変調を具備する、請求項１記載の方法。
【請求項４】
変調は周波数変調を具備する、請求項３記載の方法。
【請求項５】
変調は遅延変調を具備する、請求項３記載の方法。
【請求項６】
変調は振幅変調を具備する、請求項３記載の方法。
【請求項７】
中継器は増幅器を具備し、振幅変調は増幅器の利得を変化するステップを実行することによって信号送信に加えられる、請求項６記載の方法。
【請求項８】
基地局は遠隔局から送信された信号の強度を制御するためのパワー制御システムを具備し、及び振幅変調はパワー制御システムの閉ループ帯域幅より高い周波数で実行される、請求項７記載の方法。
【請求項９】
パワー制御システムは、遠隔局から送信された信号の強度と遠隔局から送信された信号の所望の強度との差に関する誤り信号と、信号送信器が判別技術を含むならば信号送信が中継器を介して送信されていると指定するステップを含み、下記ステップを具備する請求項８に記載の方法：
誤り信号を測定する；及び
測定される誤り信号に従って、信号送信が中継器を介して伝えられたとして指定する。
【請求項１０】
遠隔通信は潜在的に複数の中継器の１つから送信されることができ、判別技術は複数の中継器の各々に特有である、請求項１記載の方法。
【請求項１１】
中継器を介して送信された遠隔通信を識別するための装置、該装置は下記を具備する：
遠隔局から信号送信を受信するように構成された受信器；
信号送信が遠隔局から送信された信号に加えられる判別技術を含むかどうかを決定するように、及び信号送信が判別技術を含むならば、信号送信が中継器を介して送信されていると指定するように構成されるプロセッサ。
【請求項１２】
判別技術は符号を具備する、請求項１１記載の装置。
【請求項１３】
判別技術は遠隔局からの信号送信に加えられた変調を具備する、請求項１１記載の装置。
【請求項１４】
変調は遅延変調を具備する、請求項１３記載の装置。
【請求項１５】
変調は周波数変調を具備する、請求項１３記載の装置。
【請求項１６】
判別技術は振幅変調を具備する、請求項１３記載の装置。
【請求項１７】
中継器は増幅器を具備し、振幅変調が増幅器の利得を変化するステップを実行することによって信号送信に加えられる、請求項１５記載の装置。
【請求項１８】
基地局は遠隔局から送信された信号の強度を制御するように構成されたパワー制御システムを具備し、及び振幅変調はパワー制御システムの閉ループ帯域幅より高い周波数で実行される、請求項１７記載の装置。
【請求項１９】
パワー制御システムは更に下記を具備する、請求項１８記載の装置：
遠隔局から送信された信号の強度と遠隔局から送信された信号の所望の強度との差に関する誤り信号；
誤り信号を測定するように構成されたプロセッサ；及び
測定された誤り信号に従って、信号送信を中継器を介して伝えられたと指定するための検出モジュール。
【請求項２０】
遠隔通信は潜在的に複数の中継器の１つから送信されることができ、判別技術は複数の中継器の各々に特有である、請求項１１記載の装置。
【請求項２１】
中継器を介して送信された遠隔通信を識別するための装置、該装置は下記を具備する：
遠隔局からの信号送信を受信するための手段；
信号送信が遠隔局から送信された信号に加えられる判別技術を含むかどうかを決定するための手段；及び
信号送信が判別技術を含むならば、信号送信を中継器を介して送信されていると指定するための手段。
【請求項２２】
判別技術は符号を具備する、請求項２１記載の装置。
【請求項２３】
判別技術は遠隔局からの信号送信に加えられた変調を具備する、請求項２１記載の装置。
【請求項２４】
変調は遅延変調を具備する、請求項２３記載の装置。
【請求項２５】
変調は周波数変調を具備する、請求項２４記載の装置。
【請求項２６】
判別技術は振幅変調を具備する、請求項２３記載の装置。
【請求項２７】
中継器は増幅器を具備し、振幅変調は増幅器の利得を変化するステップを実行することによって信号送信に加えられる、請求項２６記載の装置。
【請求項２８】
基地局は遠隔局から送信される信号の強度を制御するためのパワー制御システムを具備し、及び振幅変調はパワー制御システムの閉ループ帯域幅より高い周波数で実行される、請求項２７記載の装置。
【請求項２９】
パワー制御システムは遠隔局から送信された信号の強度と遠隔局から送信される信号の所望の強度との差に関する誤り信号、及び信号送信機が判別技術を含むならば、信号送信を中継器を介して送信されていると指定するための手段を含み、下記を具備する請求項２８記載の装置：
誤り信号を測定するための手段；及び
測定された誤り信号に従って、信号送信を中継器を介して伝えられていると指定するための手段。
【請求項３０】
遠隔通信は、潜在的に複数の中継器の１つから送信されることができ、判別技術は複数の中継器の各々に特有である、請求項２１記載の装置。
【請求項３１】
コンピュータによって読み出し可能で、中継器を介しての送信ではない遠隔通信から、中継器を介して送信された遠隔通信を識別する方法ステップを実行するために、コンピュータによって実行可能な少なくとも１つのプログラムの命令を具体的に具体化するプログラム蓄積装置、該方法ステップは下記ステップを具備する：
遠隔局から信号送信を受信する；
信号送信が遠隔局から送信された信号に加えられる判別技術を含むかどうかを決定する；及び
信号送信が判別技術を含むならば、信号送信が中継器を介して送信されていると指定する。
【請求項３２】
中継器を介しての送信ではない遠隔通信から、中継器を介して送信された遠隔通信を区別する方法、該方法は下記ステップを具備する：
中継器において信号送信を受信する；
判別技術を持つ受信信号を増強する；及び
増強される受信信号を基地局へ送信する。
【請求項３３】
判別技術は符号を具備する、請求項３２記載の方法。
【請求項３４】
判別技術は受信された信号送信に加えられた変調を具備する、請求項３２記載の方法。
【請求項３５】
変調は周波数変調である、請求項３４記載の方法。
【請求項３６】
変調は遅延変調である、請求項３４記載の方法。
【請求項３７】
変調は振幅変調である、請求項３４記載の方法。
【請求項３８】
振幅変調はパワー制御システムの閉ループ帯域幅より高い周波数で実行される、請求項３７記載の方法。
【請求項３９】
遠隔通信は潜在的に複数の中継器の１つから送信され、判別技術は各中継器に特有である、請求項３２記載の方法。
【請求項４０】
中継器によって送信されていることを区別可能に遠隔通信を送信するための中継器、該中継器は下記を具備する：
遠隔局から信号送信を受信するためのサーバアンテナ；
サーバアンテナに通信的に結合される増幅器；及び
増幅器に通信的に結合されたドナーアンテナであって、中継器から発信しているとして送信された信号を識別する判別技術により増強された受信された信号送信を具備する信号送信を送信するためのドナーアンテナ。
【請求項４１】
更に下記を具備する、請求項４０記載の中継器：
ドナーアンテナ及び増幅器に通信的に結合された装置、該装置は増強された信号送信を発生させる。
【請求項４２】
判別技術は符号を具備する、請求項４１記載の中継器。
【請求項４３】
判別技術は受信された信号送信に加えられた変調を具備する、請求項４１記載の方法。
【請求項４４】
変調は周波数変調である、請求項４３記載の方法。
【請求項４５】
変調は遅延変調である、請求項４３記載の方法。
【請求項４６】
変調は振幅変調である、請求項４３記載の方法。
【請求項４７】
振幅変調はパワー制御システムの閉ループ帯域幅より高い周波数で実行される、請求項４６記載の方法。
【請求項４８】
遠隔通信は潜在的に複数の中継器の１つから送信され、判別技術は各中継器に特有である、請求項４０記載の方法。
【発明の詳細な説明】
【技術分野】
【０００１】
明は、移動局と基地局との間で情報を送受信するための方法及びシステムに関し、特に、基地局で受信されるメッセージが中継器を介して送信されたかどうかを決定するための方法及びシステムに関する。
【背景技術】
【０００２】
セルラ電話（セルフォン(cellphone)）サービスは、広く行きわたってきている。一部のサービス区域においては、セルフォンサービスプロバイダがセルフォンネットワークにセルフォンユーザの位置検出を可能にする特徴を組み入れることが、義務付けられてきている。これらのサービスは、就中、緊急呼出（９１１等）に有用である。
【０００３】
このサービスの提供には、セルフォンユーザが中継器を介してセルの基地局と通信しているときに諸課題が生じる。このような環境において、このようなシステムは、一般に、中継器から受信されていたとしてユーザからの信号を識別することなく、ユーザの位置を決定する通常の手段（例えば、信号強度及び他の信号測定値を使用する三角測量）は、中継器を通過することによって損なわれことがあるので、位置決定システムは、何処にセルフォンユーザがあるかを区別することができない。
【０００４】
一部の環境においても、ネットワークトラフィック、特に中継器を通るトラフィックのレベルを決定することが望まれている。基地局が受信した送信が中継器を介して受信されたか、否か（例えば、セルフォンから直接に受信された）かを識別することができないないならば、この能力も実施することが困難である。
【０００５】
必要とされるものは、特定のセルフォン送信が移動局から直接に受信されたかどうか、又は送信が中継器を介して受信されたかどうかを識別するための簡単なシステム及び方法である。本発明は、その必要性を満足する。
【０００６】
[発明の概要]
前述した要求に対処するために、本発明は、中継器を介しての送信ではない遠隔通信から、中継器を介して送信された遠隔通信を識別するための方法及び装置を開示する。本方法は、遠隔局からの信号送信(signal transmission)を受信する；信号送信が遠隔局から送信された信号に加えられる判別技術を含むかどうかを決定する；及び信号送信が判別技術を含むならば、信号送信を中継器を介して送信されたとして指定する；ステップを具備する。本装置は、遠隔局からの信号送信を受信するように構成された受信器、及び信号送信が遠隔局から送信された信号に加えられた判別技術を含むかどうかを決定するように構成され、そして信号送信が判別技術を含むならば、中継器を介して送信されているとして信号送信を指定するように構成されるプロセッサを具備する。
【０００７】
[好ましい実施形態の詳細な説明]
そこで、同様な参照番号が全体に亘って対応する部分を表す図面を参照する。
【０００８】
次の好ましい実施形態の説明において、説明の一部を形成する添付図面が参照され、その図面に図示の目的で、本発明が実施されることができる特定の実施形態が示される。本発明の範囲から離脱することなく、他の実施形態が利用されることができ、構造上の変更がなされることができることは、理解されるべきである。
【０００９】
図１は、セルラ電話システム１００の図である。セルラ電話システム１００は、１つ以上の制御局１０２、及び複数の基地局１０４を具備する。基地局１０４は、基地局１０４のサービス区域１１４の中にある遠隔局１１２と通信する。遠隔局１１２は、移動局（例えば、自動車電話機又は手持ち式セルフォン）又は固定局であってもよい。サービス区域１１４は、一般に、遠隔局１１２が基地局と効果的に通信することができる点の軌跡の地理的広がりとして説明される。サービス区域１１４の形状は、図１に多少円形状のように図示されているが、実際の形状は、地理的障害物及び他の要因によって決まる。多数のサービス区域１１４は、一般に、広い区域に亘りセルラ電話サービスを提供するために部分的に重なる。
【００１０】
遠隔局１１２がサービス区域１１４の中にあるとき、メッセージは、順方向リンク１０６Ａを介して制御センタ１０２から基地局１０４へ、そして順方向リンク１１０Ａを介して基地局１０４から遠隔局１１２へ送信されることができる。メッセージは、遠隔局１１２から基地局１０４へ送信される。これらのメッセージは、戻方向リンク１０６Ｂを介して制御センタ１０２へ送信される。基地局１０４と制御局１０２との間の一部の又は全ての通信は、要望するならば地上線１０８を介して伝えられることができる。しかも、順方向リンク１０６Ａ及び１１０Ａを介して送信されるメッセージは、一般に、逆方向リンク１１０Ｂ及び１０６Ｂを介して送信されるメッセージとは異なる周波数帯域又は変調技術で変調される。別個の順方向及び逆方向リンクの使用は、制御センタ１０２と遠隔局１１２との間の全二重通信を可能にする。
【００１１】
制御局１０２は、公衆電話交換ネットワーク（ＰＳＴＮ）１１６又はインターネット１１８のような他の通信ポータル(portals))に通信的に結合される。こうして、遠隔局１１２でのユーザは、セルラ電話システム１００を介して通信ポータルへのアクセスを与えられる。
【００１２】
追加の地理的領域をカバーするためにより多くの基地局１０４を簡単に追加することによって、セルラ電話ネットワーク１００のカバー範囲を拡張することは可能であるが、それをすることは、時には不経済なこともある。多くの場合において、例えば、カバーするために求められる領域は、基地局の代わりに中継器１２０の使用を正当化するのに充分なトラフィックを有する。中継器１２０は、移動局１２６及び基地局１０４の両方からの送信を受け入れ、二者の間の仲介者、本質的には“曲がり管(bent pipe)”通信ポータルの役割をする。中継器１２０を使用して、基地局１０４の効果的領域は、拡張されたサービス区域１２８をカバーするために拡張される。
【００１３】
中継器１２０の使用は、領域を増大させるための費用効果的な方法であるが、それは、それの短所を有する。追加の基地局１０４の代わりの多数の中継器１２０の使用は、トラフィックを取り扱うために基地局１０４上により大きな要求を出す（基地局１０４は、拡張されたサービス区域１２８のためのトラフィックを取り扱っているので）。更に、中継器１２０の使用はまた、遠隔局１２６の位置を決定するためのシステムの能力を損なう。少なくとも部分的に、これは、中継器を通過する信号が遠隔局１２６から基地局１０４へ直接に送信される信号に存在しない遅延の支配下にあるという事実による。
【００１４】
図２は、セルラ電話システム１００の前述の欠点を改善するため使用されることができる例示的処理ステップを図示するフローチャートである。信号送信は、ブロック２０２に示されるように、中継器１２０において、遠隔局１２６から受信される。信号送信は、ブロック２０４に示されるように、判別技術(discriminant)を用いて増強させられる(augmented)。これは、中継器１２０それ自身において、又は中継器１２０に通信的に結合される装置において、生じることができる。それから、増強された信号は、ブロック２０６及び２０８に示されるように、中継器１２０から送信され、基地局１０４において受信される。ブロック２１０において、受信された送信が中継器１２０によって加えられる判別技術を含むかどうかに関して決定がなされる。中継器１２０を介して受信された送信は、その判別技術を含み、遠隔局１１２から直接に基地局１０４において受信された送信は、そうでないので、送信が中継器１２０を介して受信されたか、又はそうでなかったかどうかに関して決定されることができる。判別技術が受信された信号に存在するならば、そのときは、送信は、ブロック２１２に示されるように、中継器２１０を介して受信されたと指定される。この点で、この送信に関して受信されたデータは、中継器に関連させられ、そして遠隔局１２６の位置を計算するか、又はネットワークトラフィックを決定するアルゴリズムは、この事実を反映することができる。
【００１５】
本発明は、信号特性が送信信号に付加される実施形態に限定されない。前述のものは、中継器が信号特性（例えば、送信の前に中継器によって除去される変調、遅延又は他の情報含むことができる遠隔局１１２からの直接の信号）を付加するのではなく、信号特性を除去するシステムによって実施されることもできる。しかしながら、この場合でさえも、中継器１２０を通過する信号は、判別技術（判別技術は、ところで、他の受信された信号が有すると予期される変調の欠如である）を用いて増強させられる。
【００１６】
判別技術は、多くの様々な形をとることができる。1つの実施形態において、判別技術は、遠隔局１２６から受信された信号に付加される符号である。この実施形態は、送信を識別するという目的にかなうが、しかしながら、この実施形態は、遠隔局１２６から信号を受信して、受信された信号を復調し、信号に符号を付加し、付加された符号と共に信号を基地局１０４へ送信するために、中継器１２０に装置を要求する。もう1つの実施形態において、判別技術は、遠隔局１２６から中継器１２０で受信された信号に加えられる変調である。変調は、振幅変調（ＡＭ）、周波数変調（ＦＭ）、パルス変調（ＰＭ）、遅延変調（ＤＭ）、又はこのような変調技術の任意の組み合わせであることもできる。
【００１７】
図３は、先行技術の中継器１２０のブロック図である。中継器１２０は、信号を受信するためのドナーアンテナ３０２、ドナーアンテナ３０２で受信された信号を増幅するための増幅器３０８、及び中継器１２０によって受信された信号を送信（又は中継）するためのサーバアンテナ３０４を含む。しかも、第２の増幅器３０６は、サーバアンテナ３０４で受信された信号を増幅し、増幅された信号をドナーアンテナ３０２へ与える。中継器１２０は、順方向リンク１２２Ａ、１２４Ａ及び逆方向リンク１２４Ｂ、１２２Ｂ信号を別個に受信し、増幅し、送信するための４つのアンテナ及び４つの増幅器を具備することができる。
【００１８】
図４は、本発明の中継器３００の1つの実施形態のブロック図である。増幅器３０８及び３０６に通信的に結合されるアッドオン装置(add-on device)３１０並びにドナーアンテナ(donor antenna)３０２は判別技術を付加する。この改造は、図３に示されるどの要素にも全く改造を加えることなく実現されることができる。1つの実施形態において、アッドオン装置３１０は、基地局１０４への戻方向リンク信号１２２Ｂに変調（ＡＭ、ＰＭ、ＤＭ、ＦＭ又は等価物）を付加する。
【００１９】
図５は、ＡＭ変調を使用する本発明の例示的実施形態を表す図である。この実施形態において、装置３１０は、戻方向リンク１２２Ｂがドナーアンテナ３０２又は負荷５０４の何れかに接続されることを可能にする簡単な切替装置５０２である。
【００２０】
図６は、遅延変調を使用する本発明の例示的実施形態を表す図である。この実施形態において、切替装置５０２は、増幅器３０６の出力をサーバアンテナ３０２に直接に又は遅延線装置６０２を介して加える。図５及び図６に図示される実施形態において、戻方向リンク１２２Ｂのみが表示されるように変調される。
【００２１】
図７‐９は、本発明に関連して使用されることができる中継器１２０構成を図示する図である。図７は、遠隔局１２６、基地局１０４、及び中継器に対する方位に関する基本中継器構成を表す。図７に図示される実施形態において、ドナーアンテナ３０２は、基地局１０４（又は複合基地局）に向けられ、一方において、サーバアンテナ３０４は、一般に、遠隔局１２６に向けられる。
【００２２】
図８は、中継器８００から基地局１０４へのリンクが同軸又は光ファイバケーブルのような地上線８０２によって実現される中継器構成を示す図である。
【００２３】
図９は、サーバアンテナ９０２が単一のアンテナではなく、複数の位置に分散された複数のアンテナ９０２Ａ、９０２Ｂである中継器構成を示す図である。例えば、アンテナ９０２Ａ、９０２Ｂは、建物の様々な階上に又は地下鉄トンネルの全長に沿って、配置されることができる。基地局１０４への帰路接続は、地上リンク（図８に示されるように）によって、又は図７に示されるように無線リンク（又は光リンク）によることができる。
【００２４】
図１０は、基地局１０４から直接に受信される信号から中継器３００を介して遠隔局１２６から受信される信号を区別する基地局１０４要素の１つの実施形態を示す。図示される実施形態において、判別技術は、中継器３００からの信号に加えられる振幅変調である。
【００２５】
基地局１０４は、パワー制御システム１００２を含む。パワー制御システム１００２は、遠隔局１２６の送信器パワーをアジャストするために使用される。このアジャストは、中継器１２０及び／又は基地局１０４の至近距離に配置される遠隔局１２６がより長距離に配置されている遠隔局１２６からの送信を圧倒することを防ぐ。それはまた、システムが基地局１０４から遠隔にある遠隔局１２６のパワーを増大させることを可能にし、こうして領域を増大させる。
【００２６】
パワー制御システム１００２は、受信された信号１００４を受け入れる。受信された信号１００４は、遠隔局１１２（戻リンク１１０Ｂを介して）から直接に、又は遠隔局１２６から、又は中継器１２０を介して、の何れかで受信されることができる。遠隔局１１２から直接に受信された信号は、判別技術１０２４を含まなく、図１０における要素１００４Ａのように見えることができる。中継器１２０を介して遠隔局１２６から受信された信号は、判別技術（図１０の要素１０２４のような）を含み、要素１００４Ｂに示されるように見えることができる。
【００２７】
受信された信号１００４は、パワー測定装置１００６へ与えられ、受信された信号のパワー又はサービスの品質（ＱｏＳ）を表示する測定値１００８が発生させられる。これは、パワー測定値、ビット誤りレート（ＢＥＲ）の表示、又は遠隔局１１２の近接性及び／又は不充分な送信特性（パワー、等）により失われるか若しくは他の遠隔局１１２から受信される信号に干渉する、その信号の潜在性の表示である任意の他の測定値、であることができる。
【００２８】
測定されたパワー１００８は、参照値１０１０から得られる所望のパワー値１０１２と比較される。測定されたパワーと参照値又は所望のパワーとの間の差は、装置（加算接合部１０１４によって図１０に表される）によって得られ、信号プロセッサ１０１６へ与えられる。信号プロセッサ１０１６は、遠隔局１１２の送信パワーにおける変更が要求されるかどうかを決定し、そうであるならば、新規のパワーレベル命令又はパワーレベルにおける変更を記述する命令の何れかを発生させる。その命令は、リンク１１０Ｂ若しくは１２２Ａを介して又は独立のリンクによって遠隔局へ送信される。
【００２９】
プロセッサ１０１６によって発生させられる誤り信号１０２０は、検出モジュール１０２２へ与えられる。検出モジュール１０２２は、判別技術１０２４が受信された信号に含まれているかどうかを決定するために誤り信号を試験する。これは、受信された信号１００４が中継器１２０を介して又は遠隔局１１２から直接に基地局１０４において受信されたかどうかに関しての決定を可能にする。検出モジュール１０２２が、受信された信号上の判別技術（例えば、変調）が中継器１２０によって付加されたと決定するならば、その信号は、中継器１２０を介して遠隔局１２６から受信されたと決定がなされ、適切な処理（位置決定、トラフィック分析、又は他の目的のための）が行われることができる。更に、検出モジュールが、受信された信号１００４における変化が中継器１２０によって付加されたと決定するならば、検出モジュール１０２２は、新規のパワー命令が発生させられないように、この事実をプロセッサ１０１６に通知することができる。代案として、判別技術１０２４の周波数又は振幅は、パワー制御システム１００２がパワー制御信号を供給しないようになることができる（例えば、付加される判別技術の周波数は、パワー命令が効果的に存在しないように又は無視できるように、パワー制御システム１００２の閉ループ応答によって充分に減衰させられる）。
【００３０】
機能性を表示するために別個の装置として図示されているが、検出モジュールは、同様に、プロセッサ１０１６にも実施されることができる。
【００３１】
パワーは、システム通信を最適化するために基地局１０４によって制御されることができる、多数の様々な遠隔局１１２送信器特性の丁度１つの例である。他の例は、パケットサイズ及びメッセージ帯域幅である。そのように、中継器によって受信され中継される信号に判別技術を付加する技術は、明白に前に述べたもの及びその等価物を含む種々の実施形態に実施されることができる。
【００３２】
これで、本発明の好ましい実施形態を含む説明を終了する。前の本発明の好ましい実施形態の説明は、図示及び説明の目的ために表されてきた。それは、開示された正確な形式に本発明を完全にし又は本発明を限定するように意図されるものではない。多数の改造及び変形は、前の教示から見て可能である。
【００３３】
本発明の範囲は、この詳細な説明によってではなく、ここに添付される特許請求の範囲によって限定されるように意図される。前述の明細書、諸例及びデータは、本発明の装置及び方法の製品化及び使用の完全な説明を提供する。本発明の多数の実施形態は、本発明の範囲から離脱することなく製品化されることができるので、本発明は、この中に添付される特許請求の範囲に存在する。
【図面の簡単な説明】
【００３４】
【図１】図１は、セルラ電話システムの図である。
【図２】図２は、本発明の１つの実施形態を実施するために使用されることができる例示的処理ステップを図示するフローチャートである。
【図３】図３は、先行技術の中継器のブロック図である。
【図４】図４は、本発明の中継器の１つの実施形態のブロック図である。
【図５】図５は、振幅変調（ＡＭ）を使用する本発明の例証的実施形態を表す図である。
【図６】図６は、遅延変調を使用する本発明の例証的実施形態を表す図である。
【図７】図７は、遠隔局、基地局、及び中継器に対する方位に関する基本中継器構成を表す。
【図８】図８は、中継器から基地局へのリンクが同軸又は光ファイバケーブルのような地上線によって実現される中継器構成を示す図である。
【図９】図９は、サーバアンテナが単一のアンテナではなく、複数の位置に分散された複数のアンテナである中継器構成を示す図である。
【図１０】図１０は、基地局から直接に受信される信号から中継器を介して遠隔局から受信される信号を区別する基地局要素の１つの実施形態を示す。
【符号の説明】
【００３５】
１００‥セルラ電話システム、１０２‥制御センタ、１０４‥基地局、１０６Ａ‥順方向リンク、１０６Ｂ‥逆方向リンク、１０８‥地上線、１１０Ａ‥順方向リンク、１１０Ｂ‥逆方向リンク、１１２‥遠隔局、１１４‥サービス区域、１２０‥中継器、１２２Ａ‥順方向リンク、１２２Ｂ‥逆方向リンク、１２４Ａ‥順方向リンク、１２４Ｂ‥逆方向リンク、１２６‥遠隔局、１２８‥、３００‥中継器、３０２‥ドナーアンテナ、３０４‥サーバアンテナ、３０６‥増幅器、３０８‥増幅器、３１０‥アッドオン装置、５０２‥切替装置、５０４‥負荷、６０２‥遅延線装置、８００‥中継器、８０２‥地上線、９０２Ａ‥アンテナ、９０２Ｂ‥アンテナ、１００２‥パワー制御システム、１００４‥受信された信号、１００４Ａ‥要素、１００４Ｂ‥要素、１０１４‥加算接合部、１０２４‥判別技術。
【図１】
2005507205.tif 000003
【図２】
2005507205.tif 000004
【図３】
2005507205.tif 000005
【図４】
2005507205.tif 000006
【図５】
2005507205.tif 000007
【図６】
2005507205.tif 000008
【図７】
2005507205.tif 000009
【図８】
2005507205.tif 000010
【図９】
2005507205.tif 000011
【図１０】
2005507205.tif 000012
【国際公開パンフレット】
2005507205.tif 000013
2005507205.tif 000014
2005507205.tif 000015
2005507205.tif 000016
2005507205.tif 000017
2005507205.tif 000018
2005507205.tif 000019
2005507205.tif 000020
2005507205.tif 000021
2005507205.tif 000022
2005507205.tif 000023
2005507205.tif 000024
2005507205.tif 000025
2005507205.tif 000026
2005507205.tif 000027
2005507205.tif 000028
2005507205.tif 000029
2005507205.tif 000030
2005507205.tif 000031
2005507205.tif 000032
2005507205.tif 000033
2005507205.tif 000034
2005507205.tif 000035
【国際調査報告】
2005507205.tif 000036
2005507205.tif 000037
2005507205.tif 000038